(57)【特許請求の範囲】
【請求項１】
記録媒体の固有識別情報と、該記録媒体が所定の記録媒体処理装置に受け入れられていることを示す状態情報と、該所定の記録媒体処理装置を特定するための装置識別情報とを対応付けて記憶する記憶手段を備えた管理装置と、
処理対象の記録媒体を受け入れた際に、その固有識別情報を含めて該処理対象の記録媒体に関わる所定の処理が可能か否かの第１の問合せを前記管理装置に対して行い、この問合せした結果が前記所定の処理を許可しない旨であった場合に、前記処理対象の記録媒体を処理しない複数の記録媒体処理装置と
を備え、
前記管理装置は、
前記複数の記録媒体処理装置のうちの前記処理対象の記録媒体を受け入れた第１の記録媒体処理装置からの前記第１の問合せを受信した際には、前記処理対象の記録媒体の固有識別情報に対応して前記状態情報が前記記憶手段に記憶されている場合には、当該固有識別情報に対応して前記記憶手段に記憶されている前記装置識別情報に基づく第２の記録媒体処理装置に対して記録媒体の受け入れ状態に関する第２の問合せを行うと共に、当該第２の記録媒体処理装置からの前記第２の問合せに対する結果に基づいて、前記処理対象の記録媒体に対する所定の処理を許可するか否かを決定するようにしたことを特徴とする記録媒体管理システム。
【請求項２】
前記管理装置は、
前記第２の記録媒体処理装置からの前記第２の問合せに対する結果が当該固有識別情報の記録媒体の受け入れ中を示す旨の場合には、前記処理対象の記録媒体に対する所定の処理を許可しない旨を、前記第１の問合せに対する結果として前記第１の記録媒体処理装置に送信することを特徴とする請求項１に記載の記録媒体管理システム。
【請求項３】
前記管理装置は、
前記複数の記録媒体処理装置のうちの前記処理対象の記録媒体を受け入れた第１の記録媒体処理装置からの前記第１の問合せを受信したときは、前記処理対象の記録媒体の固有識別情報に対応して前記状態情報が前記記憶手段に記憶されているか否かを判断する判断手段と、
前記判断手段が前記状態情報が記憶されていると判断した場合は、前記記憶手段に記憶されている対応する装置識別情報に基づく第２の記録媒体処理装置に対して、記録媒体の受け入れ状態に関する情報を問合せる問合せ手段と、
前記問合せ手段が前記第２の記録媒体処理装置から前記所定の記録媒体が挿入されている旨の通知を受信した場合は、前記第１の記録媒体処理装置に対して、前記処理対象の記録媒体に対する所定の処理を許可しない旨を通知する通知手段と
を備えたことを特徴とする請求項１または２に記載の記録媒体管理システム。
【請求項４】
前記通知手段は、
前記問合せ手段が前記第２の記録媒体処理装置から前記所定の記録媒体が挿入されていない旨の通知を受信した場合は、前記第１の記録媒体処理装置に対して、前記処理対象の記録媒体に対する所定の処理を許可する旨を通知するようにしたことを特徴とする請求項３に記載の記録媒体管理システム。
【請求項５】
前記通知手段は、
前記問合せ手段が前記第２の記録媒体処理装置からの問合せに対する結果を受信できなかった場合は、前記第１の記録媒体処理装置に対して、前記処理対象の記録媒体に対する所定の処理を許可する旨を通知するようにしたことを特徴とする請求項３に記載の記録媒体管理システム。
【請求項６】
前記通知手段が前記第１の記録媒体処理装置に対して、前記処理対象の記録媒体に対する所定の処理を許可する旨を通知したときは、前記処理対象の記録媒体の固有識別情報と、前記状態情報と、前記第１の記録媒体処理装置を特定するための装置識別情報とが対応付けられた内容になるように、前記記憶手段の記憶内容を更新する更新手段を更に備えたことを特徴とする請求項４または５に記載の記録媒体管理システム。
【発明の詳細な説明】
【０００１】
【発明の属する技術分野】
本発明は、コピーカードの不正使用防止精度を向上させることのできる記録媒体管理システムに関する。
【０００２】
【従来の技術】
従来、パチンコ玉やメダル等の遊技媒体を遊技機に投入して遊技を行うパチンコ機やスロットマシンなどの遊技機が知られている。これら遊技機を設置した遊技店においては、プリペイドカードあるいは会員カードなどの各種記録媒体が使用されることが多い。
【０００３】
例えば、会員カードは、会員登録を行った遊技客（会員）に対して遊技店から発行されるものであり、この会員カードには予め固有識別情報（例えば会員番号）を磁気記録してある。なお、会員登録に際しては、会員になろうとする遊技客が所定の申し込み用紙に記入した氏名、電話番号、住所などの必要事項が、会員カードの固有識別情報に関連付けられた状態で、会員管理装置であるターミナルコントローラの会員管理テーブルに登録されることになる。
【０００４】
このようにして発行された会員カードを例えばカード発行機に挿入した後に入金を行うことで、その入金の額に応じた有価価値が、固有識別情報に関連付けられた状態でターミナルコントローラの会員管理テーブルに登録される。これ以降、有価価値が関連付けられた会員カードを、一般のプリペイドカードと同様に使用して遊技を行うことが可能になる。
【０００５】
ところで、このような会員カードを適用するカード管理システムには、会員カードの記録情報（固有識別情報、氏名、電話番号、住所など）を不正にコピーしたカード（偽造カード）を用いて遊技が行われることを防止するための対策を施しているシステムもある。
【０００６】
図１２は、従来のカード管理システムにおける不正コピーカード対策処理を説明するための図を示したものである。
【０００７】
ターミナルコントローラ１は、カードＩＤ（固有識別情報）と、カードの挿入および排出のいずれかの状態を示すカード状態情報と、カード処理ユニットの装置ＩＤとを対応付けて記憶している管理情報テーブル２を備えている。この管理情報テーブル２には、たとえば、カードＩＤ「０００２」に対応して挿入／排出情報として「挿入」と装置ＩＤとして「＃０３」とが記憶されている。
【０００８】
さて、装置ＩＤが「＃０３」のカード処理ユニット３に、カードＩＤが「０００２」のカードが挿入中において、該「０００２」と同一のカードＩＤ「０００２」のカードが、装置ＩＤ「＃０４」のカード処理ユニット４に挿入されると（Ｓ１）、カード処理ユニット４は、挿入されたカードのカードデータ（カードＩＤなど）を読み取り、この読み取ったカードデータに基づいて、カードＩＤ「０００２」を含めてカード状態の問合せを、ターミナルコントローラ１に行う（Ｓ２）。
【０００９】
ターミナルコントローラ１では、受信した問合せに含まれるカードＩＤ「０００２」を基に、管理情報テーブル２を検索し（Ｓ３）、この検索した結果、カードＩＤ「０００２」のカードは装置ＩＤ「＃０３」のカード処理ユニット３に挿入されていると判断する。そして、ターミナルコントローラ１は、装置ＩＤ「＃０４」のカード処理ユニット４に挿入されたカード（カードＩＤ「０００２」）はコピーカードである可能性が高いので、カード処理ユニット４に対して、カードＩＤ「０００２」のカードに対する「使用不可通知」を送信する（Ｓ４）。
【００１０】
この「使用不可通知」を受け取ったカード処理ユニット４はエラーダウンし、駆け付けた係員が対応する。
【００１１】
なお、ターミナルコントローラ１は、上記Ｓ３の検索の結果、カードＩＤ「０００２」に対応してカード状態情報として「排出」と装置ＩＤとして「００」（ｎｕｌｌの意味）とが記憶されていた場合には、カード処理ユニット４に対して「使用許可通知」を送信することになる。
【００１２】
【発明が解決しようとする課題】
しかしながら、上記従来のカード管理システムでは、カード処理ユニット３（装置ＩＤ「＃０３」）が、カード（カードＩＤ「０００２」）を排出し、そのカードが排出状態である旨を示す「排出」情報をターミナルコントローラ１に送信したにも関わらず、通信エラー等により、前記「排出」情報がターミナルコントローラ１に送信されないことに起因して、管理情報テーブル２の記憶内容が更新されない状態が発生する。
【００１３】
すなわち、図１２に示す管理情報テーブル２の記憶内容が、カードＩＤ「０００２」に対応して、カード状態が「排出」と装置ＩＤが「００」（ｎｕｌｌ）とが記憶されている内容に更新されない。
【００１４】
このことは、カードＩＤ「０００２」のカードは実際には何れのカード処理ユニットにも挿入されていないので、そのカードが、カード処理ユニット４に挿入された場合は、カード処理ユニット４に対しては「使用許可通知」が送信されるべきものが、「使用不可通知」が送信されることを意味する。
【００１５】
このため、正当なカードＩＤ「０００２」のカードが不正なコピーカードとして取り扱われ、その正当なカードを利用して遊技を行うことができない。しかも、該正当なカードに関連付けられた有価価値を使用可能にするには、その正当なカードのデータを新規なカードに移行（再発行）処理を施した後に、その新規なカードを使用する必要がある。
【００１６】
上述したように、従来のカード管理システムでは、通信等のエラーにより管理情報テーブルの記憶内容が更新されなかったことに起因して、本来であれば使用可能な正当なカードを使用することができなかった。
【００１７】
この発明は、上記実情に鑑みてなされたもので、コピーカードの不正使用防止精度を向上させることのできる記録媒体管理システムを提供することを目的とする。
【００１８】
【課題を解決するための手段】
本発明は、上記目的を達成するためになされたものであり、請求項１に係る記録媒体管理システムは、記録媒体の固有識別情報と、該記録媒体が所定の記録媒体処理装置に受け入れられていることを示す状態情報と、該所定の記録媒体処理装置を特定するための装置識別情報とを対応付けて記憶する記憶手段を備えた管理装置と、処理対象の記録媒体を受け入れた際に、その固有識別情報を含めて該処理対象の記録媒体に関わる所定の処理が可能か否かの第１の問合せを前記管理装置に対して行い、この問合せした結果が前記所定の処理を許可しない旨であった場合に、前記処理対象の記録媒体を処理しない複数の記録媒体処理装置とを備え、前記管理装置は、前記複数の記録媒体処理装置のうちの前記処理対象の記録媒体を受け入れた第１の記録媒体処理装置からの前記第１の問合せを受信した際には、前記処理対象の記録媒体の固有識別情報に対応して前記状態情報が前記記憶手段に記憶されている場合には、当該固有識別情報に対応して前記記憶手段に記憶されている前記装置識別情報に基づく第２の記録媒体処理装置に対して記録媒体の受け入れ状態に関する第２の問合せを行うと共に、当該第２の記録媒体処理装置からの前記第２の問合せに対する結果に基づいて、前記処理対象の記録媒体に対する所定の処理を許可するか否かを決定するようにしたことを特徴とする。
【００１９】
また、請求項２に係る記録媒体管理システムは、請求項１の発明において、前記管理装置は、前記第２の記録媒体処理装置からの前記第２の問合せに対する結果が当該固有識別情報の記録媒体の受け入れ中を示す旨の場合には、前記処理対象の記録媒体に対する所定の処理を許可しない旨を、前記第１の問合せに対する結果として前記第１の記録媒体処理装置に送信することを特徴とする。
【００２０】
また、請求項３に係る記録媒体管理システムは、請求項１または２の発明において、前記管理装置は、前記複数の記録媒体処理装置のうちの前記処理対象の記録媒体を受け入れた第１の記録媒体処理装置からの前記第１の問合せを受信したときは、前記処理対象の記録媒体の固有識別情報に対応して前記状態情報が前記記憶手段に記憶されているか否かを判断する判断手段と、前記判断手段が前記状態情報が記憶されていると判断した場合は、前記記憶手段に記憶されている対応する装置識別情報に基づく第２の記録媒体処理装置に対して、記録媒体の受け入れ状態に関する情報を問合せる問合せ手段と、前記第２の記録媒体処理装置から前記所定の記録媒体が挿入されている旨の通知を受信した場合は、前記第１の記録媒体処理装置に対して、前記処理対象の記録媒体に対する所定の処理を許可しない旨を通知する通知手段とを備えたことを特徴とする。
【００２１】
また、請求項４に係る記録媒体管理システムは、請求項３の発明において、前記通知手段は、前記問合せ手段が前記第２の記録媒体処理装置から前記所定の記録媒体が挿入されていない旨の通知を受信した場合は、前記第１の記録媒体処理装置に対して、前記処理対象の記録媒体に対する所定の処理を許可する旨を通知するようにしたことを特徴とする。
【００２２】
また、請求項５に係る記録媒体管理システムは、請求項４の発明において、前記通知手段は、前記問合せ手段が前記第２の記録媒体処理装置からの問合せに対する結果を受信できなかった場合は、前記第１の記録媒体処理装置に対して、前記処理対象の記録媒体に対する所定の処理を許可する旨を通知するようにしたことを特徴とする。
【００２３】
さらに、請求項６に係る記録媒体管理システムは、請求項４または５の発明において、前記通知手段が前記第１の記録媒体処理装置に対して、前記処理対象の記録媒体に対する所定の処理を許可する旨を通知したときは、前記処理対象の記録媒体の固有識別情報と、前記状態情報と、前記第１の記録媒体処理装置を特定するための装置識別情報とが対応付けられた内容になるように、前記記憶手段の記憶内容を更新する更新手段を更に備えたことを特徴とする。
【００２４】
【発明の実施の形態】
以下に添付図面を参照して、この発明にかかる記録媒体管理システムの好適な実施の形態を詳細に説明する。なお、以下に示す実施の形態では、本発明に係る記録媒体管理システムをパチンコ遊技やスロット遊技を提供する遊技システムに適用した場合を示すこととする。
【００２５】
図１は、本発明の実施の形態である記録媒体管理システムを適用した遊技システムの概略構成を示すブロック図である。ここで例示する遊技システムでは、記録媒体としてプリペイドカードＰＣ及び会員カードＭＣを適用する。
【００２６】
会員カードＭＣは、住所や氏名などの会員情報を登録した会員である利用客に対して遊技店が発行する合成樹脂製のカード（ＪＩＳ２）であり、各種情報が磁気記録及び印字してある。具体的には、発行店の識別情報や会員コード（カードＩＤ）等の会員情報が磁気記録してあると共に、発行店名、固有識別情報としての会員コード（カードＩＤ）、販売会社コード、店コードなどの情報が印字（エンボス印字）してあり、記録内容の一部を目視できるようになっている。
【００２７】
これに対してプリペイドカードＰＣは、任意の一般利用客に対して遊技店が都度発行する紙製の磁気カードであり、上述した会員カードＭＣと同様、各種情報が磁気記録及び印字してある。具体的には、発行店の識別情報、カード固有の識別コード、発行金額、カード種別等が磁気記録してあると共に、発行店名、カード固有識別情報（例えば発行機番号＋連番）、発行金額及び有効期限が目視できるように印字してある。
【００２８】
これらの会員カードＭＣ及びプリペイドカードＰＣは、その材質や板厚及び記録内容が相違するものの、縦横の寸法が同一であると共に、各種情報を磁気記録するための磁気ストライプも同一の位置に設けてある。
【００２９】
また、会員カードＭＣ及びプリペイドカードＰＣには、それぞれパチンコ玉を借り受ける際の基準となる有価価値、具体的には「度数」と称される有価価値を付与してある。ここでいう「度数」とは、パチンコ玉の貸出処理単位であり、所定のレートで設定してある。一般的には、１度数が１００円に対応し、１度数でパチンコ玉を２５個だけ貸し出すように設定してある。本実施の形態では、それぞれの度数は、個々の会員カードＭＣ、プリペイドカードＰＣには記録せず、後述するターミナルコントローラに記憶させてある。
【００３０】
さて、図１に示すように、本実施の形態の遊技システムでは、「島」と呼ばれるグループごとに複数の遊技機（例えば、パチンコ機）１０を並設してあると共に、各島毎にカード処理ユニット３０、カード発行機１０１、カード精算機１０２、カード更新機１０３等の記録媒体処理装置を適宜設けてある。
【００３１】
遊技機１０は、遊技媒体であるパチンコ玉を遊技領域に発射して遊技客が遊技を行うためのものである。
【００３２】
カード処理ユニット３０は、プリペイドカードＰＣや会員カードＭＣに関連付けられた度数（有価価値）を上限としたパチンコ玉の貸し出し処理を主機能とするものである。このカード処理ユニット３０は、遊技店に設置された複数の遊技機１０それぞれに対して１台ずつペアとなるように用意され、遊技機１０の相互間に挟まれる形で配置してある。
【００３３】
カード発行機１０１は、プリペイドカードＰＣの発行処理、プリペイドカードＰＣや会員カードＭＣに関連付けられた度数（有価価値）に対する加算処理を主機能とするもので、遊技店に数台ずつ設置してある。また、カード発行機１０１は、会員カードＭＣを再発行するための処理機能も有している。
【００３４】
カード精算機１０２は、プリペイドカードＰＣや会員カードＭＣに対して関連付けられた度数を現金として払い戻す処理を主機能とするもので、遊技店に数台ずつ設置してある。
【００３５】
カード更新機１０３は、プリペイドカードＰＣに設定された有効期限を更新する処理、すなわち有効期限を経過したプリペイドカードＰＣを新たなプリペイドカードＰＣとして発行する処理を主機能とするもので、遊技店に数台ずつ設置してある。
【００３６】
上述した遊技機１０、カード処理ユニット３０、カード発行機１０１、カード精算機１０２及びカード更新機１０３は、各島に設けた島コントローラ１００を通じてターミナルコントローラ２００と称される会員管理装置の制御下にある。
【００３７】
なお、図１において、Ａ＃０３、Ａ＃０４はカード処理ユニット３０を特定するための装置識別情報（装置ＩＤ）を示すものであり、同様に、Ｂ＃０１、Ｃ＃０１およびＤ＃０１は、それそれカード発行機１０１、カード精算機１０２およびカード更新機１０３を特定するための装置識別情報（装置ＩＤ）を示すものである。
【００３８】
図２は、ターミナルコントローラ２００の内部構成を示すブロック図である。ターミナルコントローラ２００は、詳細な内容は後述するがコピーカードの不正使用抑制処理、遊技システム全体を制御統括するコントローラであり、具体的には、ＣＰＵ２０１と、メモリ２０２と、ハードディスクなどの記憶装置２０３と、マウスやキーボードなどの入力装置２０４と、ディスプレイ等の表示装置２０５と、通信インタフェース部２０６とを有する。
【００３９】
ＣＰＵ２０１は、プログラムやデータに基づいて各種機能を実現している。例えば、プリペイドカードＰＣや会員カードＭＣ毎の残度数を管理する機能、会員カードＭＣの会員登録機能、コピーカードの不正使用抑制処理機能を有する。このような機能を実現するにあたって必要となるプログラムおよびデータは、メモリ２０２あるいは記憶装置２０３に格納されており、ＣＰＵ２０１が必要に応じてこれを読み出しまたは更新する。記憶装置２０３は度数管理テーブルＤＴを含んでいる。
【００４０】
度数管理テーブルＤＴは、会員管理テーブル２１０およびプリペイドカード管理テーブル２２０を有しており、会員カードＭＣに関する情報とプリペイドカードＰＣに関する情報とを別々に管理している。
【００４１】
会員管理テーブル２１０は、図３に示すように、カードＩＤ（カードの固有識別情報）、購入度数、使用度数、残度数、カード状態、装置ＩＤ等の各フィールドから構成されている。
【００４２】
ここで、購入度数とは、購入した度数（入金金額に応じた度数）のことであり、使用度数とは、遊技媒体の借り受けに際して使用した度数のことであり、残度数は、遊技媒体を借り受けることが可能な度数（購入度数−使用度数）のことである。
【００４３】
カード状態とは、会員カードＭＣの挿入および排出のいずれかの状態のことであり、このフィールドには、会員カードＭＣが記録媒体処理装置（カード処理ユニット３０、カード発行機１０１、カード精算機１０２、カード更新機１０３等）に挿入されている状態を示す「挿入」情報、または会員カードＭＣが記録媒体処理装置から排出されている状態を示す「排出」情報が登録される。
【００４４】
装置ＩＤとは、記録媒体処理装置を特定するための装置識別情報のことであり、ここでは、Ａ＃０３の如く「英文字＃英数字」の形式で表現している。＃の前の英文字は記録媒体処理装置の種類を示すものであり、「Ａ」はカード処理ユニット３０を、また「Ｂ」はカード発行機１０１を、また「Ｃ」はカード精算機１０２を、また「Ｄ」はカード更新機１０３をそれぞれ示す。
【００４５】
ところで、会員管理テーブル２１０に格納されたカードＩＤ、残度数等の登録情報は、通信インタフェース部２０６を通じて読み出し要求があった場合にはＣＰＵ２０１によって都度メモリ２０２から読み出される一方、残度数の減算更新要求や加算更新要求があった場合にはＣＰＵ２０１によって適宜更新される。
【００４６】
図４は、本実施の形態で適用する遊技機１０およびカード処理ユニット３０の外観を示した正面図、図５は、カード処理ユニット３０の内部構成を示すブロック図である。以下、これらの図を参照しながら、遊技機１０およびカード処理ユニット３０について説明する。
【００４７】
カード処理ユニット３０は、外観上縦長に構成したもので、その前面パネルに、カードランプ３１ａ、現金ランプ３１ｂ、紙幣投入口３２、硬貨投入口３３、返却レバー３４、種別ランプ３５、金額表示部３６、金額設定スイッチ３７ａ、端数設定スイッチ３７ｂ、硬貨返却口およびカード挿入口３９を有している。
【００４８】
カードランプ３１ａおよび現金ランプ３１ｂは、貸出制御部３００からの制御信号に基づいて点灯し、プリペイドカードＰＣ、会員カードＭＣおよび現金の受け付け可能状態を利用客に報知するためのものである。紙幣投入口３２は、紙幣を受け入れてこれをＢＶ（ビルバリ）ユニット部３０１に取り込むための開口である。ＢＶユニット部３０１は、取り込まれた紙幣の金種を識別し、この識別結果を貸出制御部３００に与えるとともに、取り込んだ紙幣を島端回収ボックスに搬出させるべく紙幣搬送路３０２へ導出する部分である。
【００４９】
硬貨投入口３３は、硬貨を受け入れてこれをコインセレクタ部３０３に取り込むための開口である。コインセレクタ部３０３は、取り込んだ硬貨の金種を識別し、この識別結果を貸出制御部３００に与えるとともに、取り込んだ硬貨を島端回収ボックスに搬出させるべく硬貨搬送路３０４へ導出する部分である。返却レバー３４は、投入した硬貨を返却するためのものである。この返却レバー３４が操作された場合、返却紙幣はそのまま紙幣投入口３２から利用客に返却される一方、返却硬貨は硬貨返却口３８から利用客に返却される。種別ランプ３５は、貸し出す遊技媒体の種類、つまりパチンコ玉およびメダルのいずれを貸し出すかを点灯表示するためのものである。
【００５０】
金額表示部３６は、遊技媒体の貸出金額を表示するためのものである。この金額表示部３６は、カード処理ユニット３０の異常時のエラーコードを表示する表示機能、カード挿入口３９に挿入されたカード（プリペイドカードＰＣ、会員カードＭＣ）に対する後述する「使用不可通知」があった場合のエラーコードを表示する表示機能を有している。
【００５１】
金額設定スイッチ３７ａは、後述する遊技機１０の貸出スイッチ１４を１回操作する毎に貸し出されるパチンコ玉の金額（貸し出し単位）を利用客が設定するためのものである。カード挿入口３９は、プリペイドカードＰＣ、会員カードＭＣを受け入れてこれをカード処理部３０５に取り込むための開口である。カード処理部３０５は、取り込んだプリペイドカードＰＣ、会員カードＭＣの記録情報を読み取り、その読み取り結果を貸出制御部３００に与える処理を行う部分である。
【００５２】
一方、遊技機１０は、遊技領域１１の下方に設けた上皿１２に度数表示部１３、貸出スイッチ１４および返却スイッチ１５を設けてある。
【００５３】
度数表示部１３は、カード処理ユニット３０のカード処理部３０５にプリペイドカードＰＣ、会員カードＭＣが取り込まれた場合、このプリペイドカードＰＣ、会員カードＭＣに関連付けられた残度数を数値表示するための部分である。この度数表示部１３は、カード挿入口３９に挿入されたカード（プリペイドカードＰＣ、会員カードＭＣ）に対する後述する「使用不可通知」があった場合のエラーコードを表示する表示機能を有している。
【００５４】
貸出スイッチ１４は、パチンコ玉を借り受ける際に利用客がＯＮ操作するスイッチである。返却スイッチ１５は、ＯＮ操作した場合に、カード処理部３０５に取り込まれたプリペイドカードＰＣおよび会員カードＭＣを利用客に返却するスイッチである。
【００５５】
これら貸出スイッチ１４および返却スイッチ１５のＯＮ操作検出信号は、それぞれカード処理ユニット３０の貸出制御部３００に与えられることになる。
【００５６】
また、遊技機１０には、その内部に玉投出手段１６が設けてある。玉投出手段１６は、カード処理ユニット３０の貸出制御部３００から打球投出要求が与えられた場合、並びに遊技機１０の図示せぬ制御手段から賞球投出要求が与えられた場合に、それぞれ遊技機１０の上皿１２に所定数のパチンコ玉を投出する部分である。
【００５７】
上記のように構成したカード処理ユニット３０では、まず、貸出待機状態においてカード挿入口３９にプリペイドカードＰＣ、会員カードＭＣが挿入されると、貸出制御部３００は、カード処理部３０５を通じて当該プリペイドカードＰＣ、会員カードＭＣに磁気記録されたカード識別情報を読み取り、このカード識別情報を含めてターミナルコントローラ２００に、処理対象の記録媒体に関わる所定の処理が可能か否かの問合せを行った後、回答の受信待機状態となる。
【００５８】
この問い合せの結果が、所定の処理を許可しない旨であった場合には、後述するコピーカード不正使用抑制処理が実施され、一方、所定の処理を許可する旨であった場合は、以下の処理が実施される。
【００５９】
すなわち、カード処理ユニット３０は、読み取ったカード識別情報を含めてターミナルコントローラ２００に残度数の問合せを行った後、回答の受信待機状態となる。この間、カード処理ユニット３０からの問い合せを受信したターミナルコントローラ２００では、カード識別情報に基づいてメモリ２０２の度数管理テーブルＤＴから対応するプリペイドカードＰＣ、会員カードＭＣの残度数を読み出し、これをカード処理ユニット３０に転送する。
【００６０】
ターミナルコントローラ２００から残度数を受信した貸出制御部３００は、これをメモリ３０６に格納するとともに、遊技機１０の度数表示部１３を通じてその表示を行った後、操作待機状態となる。操作待機状態において貸出スイッチ１４がＯＮ操作されると、金額設定スイッチ３７ａで設定された金額分のパチンコ玉を投出すべく、遊技機１０の玉投出手段１６に対して打球投出要求を与える。その後、メモリ３０６に格納した残度数を設定金額に応じて減算更新するとともに、カード識別情報を含めてターミナルコントローラ２００に、設定金額応じた残度数の減算更新要求を行う。
【００６１】
一方、上記操作待機状態において紙幣もしくは硬貨が投入されると、コインセレクタ部３０３、あるいはＢＶユニット部３０１を通じてその入金額を取得し、メモリ３０６に格納した残度数を入金額に応じて加算更新するとともに、カード識別情報を含めてターミナルコントローラ２００に、入金額に応じた残度数の加算要求を行う。
【００６２】
以下、上述した動作が繰り返されることにより、プリペイドカードＰＣ、会員カードＭＣに関連付けられた残度数を上限とするパチンコ玉の貸し出しが行われ、当該パチンコ玉によって利用客のパチンコ遊技が可能になる。
【００６３】
次に、本実施の形態におけるコピーカード不正使用抑制処理について、図６および図７を参照して説明する。図６は、記録媒体処理装置による処理動作を示すフローチャートであり、図７は、ターミナルコントローラ２００による処理動作を示すフローチャートである。以下の説明においては、カード処理ユニット３０、カード発行機１０１、カード精算機１０２およびカード更新機１０３のいずれかの記録媒体処理装置に、プリペイドカードＰＣまたは会員カードＭＣのいずれかのカードが挿入される場合の処理について説明する。
【００６４】
図６に示すように、記録媒体処理装置は、カードが挿入されたか否かを判断し（ステップＳ１０１）、カードが挿入された場合は、挿入されたカードのカード情報（発行店の識別情報、カードＩＤなど）を読み取るとともに（ステップＳ１０２）、そのカード情報を含めて、そのカード情報に含まれる固有識別情報（カードＩＤ）と同一のカードＩＤのカードが他の記録媒体処理装置に挿入されているか否かのカード状態の問合せをターミナルコントローラ２００に行う（ステップＳ１０３）。このとき、記録媒体処理装置の装置識別情報も合わせてターミナルコントローラ２００に送信される。
【００６５】
ステップＳ１０３を終了した記録媒体処理装置は、ターミナルコントローラ２００からの問合せに対する結果を受信するまで待機し（ステップＳ１０４）、問合せに対する結果を受信した場合は、その結果が「使用許可通知」であるか否かを判断する（ステップＳ１０５）。なお、ターミナルコントローラ２００からの問合せに対する結果は、「使用許可通知」および「使用不可通知」のいずれかの通知となる。
【００６６】
ところで、記録媒体処理装置は、ステップＳ１０５において、ターミナルコントローラ２００からの問合せに対する結果が「使用不可通知」であった場合には、カードの使用不可を示す旨のエラーメッセージを表示手段に表示し（ステップＳ１０６）、その後、エラー処理を実施する。すなわち挿入されているカードを取り込んだまま停止する（ステップＳ１０７）。その後、係員が駆け付けて対応する。
【００６７】
因みに、上記表示手段としては、記録媒体処理装置がカード処理ユニット３０であった場合には、金額表示部３６である。また、他の記録媒体処理装置においても、所定の情報（たとえば入力ガイダンス等の情報）を表示するための表示部が上記表示手段の機能を果たすことになる。
【００６８】
一方、ステップＳ１０５において「使用許可通知」であった場合には、カードに関わる所定の処理を実行し（ステップＳ１０８）、その後、挿入されているカードを排出する（ステップＳ１０９）。なお、前記所定の処理としては、記録媒体処理装置の種類に応じて、たとえば、遊技媒体の貸出制御処理、あるいは記録媒体に関わる有価価値の精算処理などがある。
【００６９】
つぎに、上記ステップＳ１０３において記録媒体処理装置からのカード状態の問合せを受信するターミナルコントローラ２００による処理について説明する。
【００７０】
図７に示すように、ターミナルコントローラ２００は、カード状態の問合せを受信するまで待機状態となり（ステップＳ２０１）、カード状態の問合せ受信した場合には、当該問合せに含まれるカードＩＤを取得して（ステップＳ２０２）、このカードＩＤをキーとして、会員管理テーブル２１０の記憶内容を検索し（ステップＳ２０３）、カードＩＤに対応して、カード状態のフィールドに「挿入」の情報が記録されているか否かを判断する（ステップＳ２０４）。
【００７１】
ステップＳ２０４において、「排出」の情報が記録されていた場合、ターミナルコントローラ２００は、会員管理テーブル２１０のカード状態および装置ＩＤを更新した後（ステップＳ２０５）、記録媒体処理装置に対して「使用許可通知」を送信し（ステップＳ２０６）、その後、この処理を終了する。
【００７２】
一方、「挿入」の情報が記録されていた場合、ターミナルコントローラ２００は、既に取得しているカードＩＤに対応する装置ＩＤに基づく記録媒体処理装置に対して、現在の状況（カードが挿入中であるか否か、挿入中であればそのカードのカードＩＤは何か）を問合わせると共に（ステップＳ２０７）、その問合わせに対する結果を受信するまで待機する（ステップＳ２０８）。
【００７３】
ステップＳ２０８において問合せ結果を受信した場合、ターミナルコントローラ２００は、状況情報が「挿入中」であるか否かを判断し（ステップＳ２０９）、「挿入中」であった場合には、更に、挿入中のカードのカードＩＤが、当初の問合せに含まれるカードＩＤと同一であるか否かを判断する（ステップＳ２１０）。ステップＳ２１０において、同一であった場合には、カード状態の問合せを行った記録媒体処理装置に対して「使用不可通知」を送信し（ステップＳ２１１）、その後、この処理を終了する。一方、同一でなかった場合には、会員管理テーブル２１０の記憶内容を更新するとともに（ステップＳ２１４）、カード状態の問合せを行った記録媒体処理装置に対して「使用許可通知」を送信し（ステップＳ２１５）、その後、この処理を終了する。
【００７４】
これに対し、ステップＳ２０９において「挿入中」でないと判断した場合、ターミナルコントローラ２００は、状況情報が「カード無し」か否かを判断し（ステップＳ２１２）、「カード無し」でない場合には通信エラー等で「応答無し」であると判断して(ステップＳ２１３）、会員管理テーブル２１０の記憶内容を更新するとともに（ステップＳ２１４）、カード状態の問合せを行った記録媒体処理装置に対して「使用許可通知」を送信し（ステップＳ２１５）、その後、この処理を終了する。
【００７５】
なお、上記ステップＳ２１４における会員管理テーブル２１０の記憶内容の更新処理では、取得しているカードＩＤに対応して、装置ＩＤのフィールドの記憶内容が、カード状態の問合せを行った記録媒体処理装置を特定するための装置ＩＤに更新される。
【００７６】
次に、上述したコピーカード不正使用抑制処理について、図８および図９に示す具体例を挙げて説明する。
【００７７】
まず、前提条件として、図８に示すように、装置ＩＤが「Ａ＃０３」のカード処理ユニット３０に、カードＩＤが「０００２」のカード（正当なカードとする）が挿入中であるものとする（Ｐ１）。また、会員管理テーブル２１０の登録内容は図３に示した内容であるものとする。
【００７８】
このような前提条件において、装置ＩＤが「Ａ＃０４」のカード処理ユニット３０に、前記カードＩＤ「０００２」と同一のカードＩＤ「０００２」のカード（コピーカードとする）が挿入された場合には（Ｐ２）、装置ＩＤ「Ａ＃０４」のカード処理ユニット３０は、挿入されたカードのカード情報を読み取り（Ｐ３）、この読み取ったカード情報のうちのカードＩＤを取得し、このカードＩＤを含めてカード状態の問合わせをターミナルコントローラ２００に対して行う（Ｐ４）。
【００７９】
カード状態の問合わせを受信したターミナルコントローラ２００は、その問合せに含まれるカードＩＤ「０００２」をキーとして、会員管理テーブル２１０（図３参照）の登録内容を検索し、カードＩＤ「０００２」に対応する「カード状態」および「装置ＩＤ」を取得する（Ｐ５）。この場合は、カードＩＤ「０００２」に対応して「カード状態」として「挿入」が、また「装置ＩＤ」として「Ａ＃０３」がそれぞれ取得されることになる。
【００８０】
ターミナルコントローラ２００は、カード状態が「挿入」の場合には、装置ＩＤ「Ａ＃０３」に基づくカード処理ユニット３０に対して状況の問い合わせを行う（Ｐ６）。
【００８１】
装置ＩＤ「Ａ＃０３」のカード処理ユニット３０では、自己ユニットのカードに関する状況（カードの挿入中および排出のいずれかの状態。挿入中の場合は挿入中のカードのカードＩＤを含む。）をチェックし、このチェック結果（この場合は「カード（０００２）が挿入中」）をターミナルコントローラ２００に返信する（Ｐ７）。
【００８２】
ターミナルコントローラ２００では、状況問合わせを行ったカード処理ユニット３０（装置ＩＤ「Ａ＃０３」）からの状況問合わせに対する結果としての「カード（０００２）が挿入中」に基づいて、装置ＩＤ「Ａ＃０４」のカード処理ユニット３０に対して、挿入されたカードに対する「使用不可通知」を送信する（Ｐ８）。
【００８３】
この「使用不可通知」を受信したカード処理ユニット３０（装置ＩＤ「Ａ＃０４」）では、「カードが使用不可である旨」のエラーメッセージをエラーコードとして金額表示部３６に表示し（Ｐ９）、つぎにエラー処理を実施する。すなわちカードを取り込んだまま停止する（Ｐ１０）。その後、係員が駆け付けて対応する。
【００８４】
以上説明したように、既に正当なカードが第２の記録媒体処理装置（たとえばカード処理ユニット）に挿入されている状態で、コピーカードが第１の記録媒体処理装置（たとえば他のカード処理ユニット）に挿入された場合、ターミナルコントローラ２００は、会員管理テーブル２１０におけるカードＩＤ、カード状態および装置ＩＤの各フィールドに登録されている情報を検索し、カード状態のフィールドに「挿入」を示す旨の情報が登録されていたときは、第２の記録媒体処理に対して状況問合せを行うとともに、該第２の記録媒体処理からの状況問合せに対する結果として「当該カードが挿入中」を示す旨の情報に基づいて、第１の記録媒体処理装置に対して「使用不可通知」を送信するようにしているので、第１の記録媒体処理装置では、挿入されたコピーカードを、そのカードに対する所定の処理を行うことなく排出するので、コピーカードの不正使用を防止することができる。
【００８５】
次に、前提条件として、図９に示すように、装置ＩＤ「Ａ＃０３」のカード処理ユニット３０が、カードＩＤ「０００２」のカード（正当なカード）を排出すると共に（Ｐ１１）、このカード状態として「排出」の旨をターミナルコントローラ２００へ送信したものとする（Ｐ１２）。このとき、カード処理ユニット３０からターミナルコントローラ２００への通信にエラー（通信エラー）が発生したとする。また、会員管理テーブル２１０の登録内容は図３に示した内容であるものとする。
【００８６】
このような前提条件において、装置ＩＤ「Ａ＃０４」のカード処理ユニット３０に、前記カードＩＤ「０００２」と同一のカードＩＤ「０００２」のカード（正当なカード）が挿入された場合には（Ｐ１３）、上記処理Ｐ３〜Ｐ６と同様の処理が実施されることとなる（Ｐ１４〜Ｐ１７）。
【００８７】
ターミナルコントローラ２００からの状況問合せを受信したカード処理ユニット３０（装置ＩＤ「Ａ＃０３」）は、既にカードＩＤ「０００２」のカードを排出済なので、状況問合せに対する結果として「カード無し」の旨をターミナルコントローラ２００へ返信する（Ｐ１８）。
【００８８】
ターミナルコントローラ２００は、状況問合せに対する結果として「カード無し」の旨を受信した場合には、図１０に示すように会員管理テーブル２１０における装置ＩＤのフィールド内容を「Ａ＃０３」から「Ａ＃０４」に更新すると共に（Ｐ１９）、装置ＩＤ「Ａ＃０４」のカード処理ユニット３０に対して、挿入されたカードに対する「使用許可通知」を送信する（Ｐ２０）。
【００８９】
そして、カード処理ユニット３０（装置ＩＤ「Ａ＃０４」）は、カードＩＤ「０００２」のカードに関わる所定の処理つまり遊技媒体貸出処理を実施し（Ｐ２１）、この処理が終了した後、そのカードを排出する（Ｐ２２）。
【００９０】
なお、ターミナルコントローラ２００は、上記処理Ｐ１８において状況問合せに対する結果を、例えば通信エラー等により、一定時間を経過した後においても受信しなかった場合にも（Ｐ２３）、上記処理Ｐ１９、Ｐ２０と同様の処理を実施する。
【００９１】
以上説明したように、既に正当なカードが第２の記録媒体処理装置（たとえばカード処理ユニット）から排出され、かつターミナルコントローラ２００が、通信エラー等により、第２の記録媒体処理装置からのカード状態としての「排出」の情報を取得（受信）できなかった状態で、第２の記録媒体処理装置から排出された正当なカードが第１の記録媒体処理装置（たとえば他のカード処理ユニット）に挿入された場合、ターミナルコントローラ２００は、会員管理テーブル２１０におけるカードＩＤ、カード状態および装置ＩＤの各フィールドに登録されている情報を検索し、カード状態のフィールドに「挿入」を示す旨の情報が登録されていたときは、第２の記録媒体処理に対して状況問合せを行うとともに、該第２の記録媒体処理からの状況問合せに対する結果として「カード無し」を示す旨の情報（または通信エラー等により応答なし）に基づいて、第１の記録媒体処理装置に対して「使用許可通知」を送信するようにしているので、第１の記録媒体処理装置では、挿入されたコピーカードを、そのカードに対する所定の処理（たとえば遊技媒体貸出処理）を行うことができる。
【００９２】
すなわち、正当なカードが排出された状態で、かつ会員管理テーブル２１０において当該正当なカードのカードＩＤに対応してカード状態のフィールドに「挿入」を示す旨の情報が登録されている場合であっても、上述したようなコピーカード不正使用抑制処理により、排出されている上記正当なカードを使用することが可能となる。
【００９３】
上記実施の形態では、複数の記録媒体処理装置が全てカード処理ユニット３０の場合のコピーカード不正使用抑制処理について説明したが、本発明はこれに限定されることなく、たとえば、カード処理ユニット３０、カード発行機１０１、カード精算機１０２、およびカード更新機１０３の記録媒体処理装置を任意に組み合わせた場合においても、コピーカード不正使用抑制処理を適用することができる。
【００９４】
たとえば、上記図８および図９において、装置ＩＤ「Ａ＃０３」または装置ＩＤ「Ａ＃０４」のカード処理ユニット３０を、たとえば装置ＩＤ「Ｃ＃０１」のカード精算機１０２に変更することで、基本的には図８および図９を用いて説明した処理と同様の処理が行われる。
【００９５】
因みに、上記図８に示した例と同様に、前提条件として、図１１に示すように、装置ＩＤ「Ａ＃０３」のカード処理ユニット３０に、カードＩＤ「０００２」のカードが挿入中であるものとする（Ｐ３１）。また、会員管理テーブル２１０の登録内容は図３に示した内容であるものとする。
【００９６】
このような前提条件において、装置ＩＤ「Ｃ＃０１」のカード精算機１０２に、前記カードＩＤ「０００２」と同一のカードＩＤ「０００２」のカードが挿入された場合には、上記図８に示した例の場合の処理におけるＰ２〜Ｐ１０の処理と同様の処理が実施される（Ｐ３２〜Ｐ４０）。
【００９７】
結果的に、カード精算機１０２においては、挿入されたカードＩＤ「０００２」のカードに関する精算処理は実施されないこととなる。
【００９８】
なお、上記実施の形態では、コピーカード不正使用抑制処理を実施するための情報としてのカードＩＤ、カード状態および装置ＩＤを、会員管理テーブル２１０の一部として記憶するようにしたが、本発明はこれに限定されることなく、別途、カードＩＤとカード状態と装置ＩＤとを対応付けして記憶するテーブルを設けるようにしても良い。
【００９９】
また、上記実施の形態では、第１の記録媒体処理装置がターミナルコントローラ２００から「使用不可通知」を受け取ると、カードを取り込んだまま停止し、係員が対応するようにしたが、人手不足等で係員による対応が困難な場合は、カードを排出するようにしても良い。
【０１００】
以上説明したように、本実施の形態によれば、カードが第１の記録媒体処理装置に挿入された場合、ターミナルコントローラ２００は、会員管理テーブル２１０におけるカードＩＤ、カード状態および装置ＩＤの各フィールドに登録されている情報を検索し、カード状態のフィールドに「挿入」を示す旨の情報が登録されていたときは、装置ＩＤに基づく第２の記録媒体処理に対して状況問合せを行うとともに、該第２の記録媒体処理からの状況問合せに対する結果に基づいて、第１の記録媒体処理装置に対してカードに対する「使用不可通知」または「使用許可通知」を送信するようにしているので、会員管理テーブル２１０の記録内容に加えて、リアルタイムでの第２の記録媒体処理装置のカードに関する状況を考慮して、カードに対する「使用不可」または「使用許可」を決定することが可能となる。
【０１０１】
たとえば、第２の記録媒体処理装置に既に正当なカードが挿入中で、第１の記録媒体処理装置にコピーカードが挿入された場合には、上述したようなコピーカード不正使用抑制処理により、ターミナルコントローラから第１の記録媒体処理装置に対してコピーカードに対する「使用不可通知」が送信されることとなるので、該コピーカードは使用不可能となる。
【０１０２】
一方、第２の記録媒体処理装置から既に正当なカードが排出され、かつ通信エラー等により、正当なカードのカードＩＤに対応してカード状態のフィールドに「挿入」を示す旨の情報が更新されずにそのままの状態になっていた状態で、第１の記録媒体処理装置に上記正当なカードが挿入された場合には、上述したようなコピーカード不正使用抑制処理により、当該正当なカードを使用することができる。
【０１０３】
【発明の効果】
以上説明したように、請求項１の発明によれば、管理装置は、複数の記録媒体処理装置のうちの処理対象の記録媒体を受け入れた第１の記録媒体処理装置から処理対象の記録媒体に関わる所定の処理が可能か否かの第１の問合せを受信した際には、前記処理対象の記録媒体の固有識別情報に対応して状態情報が記憶手段に記憶されている場合には、当該固有識別情報に対応して前記記憶手段に記憶されている装置識別情報に基づく第２の記録媒体処理装置に対して記録媒体の受け入れ状態に関する第２の問合せを行うと共に、当該第２の記録媒体処理装置からの前記第２の問合せに対する結果に基づいて、前記処理対象の記録媒体に対する所定の処理を許可するか否かを決定するようにしたため、記憶手段の記録内容に加えて、リアルタイムでの第２の記録媒体処理装置の記録媒体に関する状況を示す状況情報を考慮して、第１の記録媒体処理装置に対して、挿入された記録媒体に対する「使用不可」または「使用許可」を決定することが可能となる。よって、コピーカードの不正使用防止精度を向上させることのできる記録媒体管理システムを提供することが可能となる。
【０１０４】
また、請求項２の発明によれば、第２の記録媒体処理装置からの第２の問合せに対する結果が当該固有識別情報の記録媒体の受け入れ中を示す旨の場合には、処理対象の記録媒体に対する所定の処理を許可しない旨を、第１の問合せに対する結果として第１の記録媒体処理装置に送信するようにしたため、第２の記録媒体処理装置に正当な記録媒体が挿入中に、第１の記録媒体処理装置にコピーカードが挿入された場合には、第１の記録媒体処理装置からは、所定の処理が実施されることなくコピーカードが排出されることとなるので、確実にコピーカードの不正使用を防止することができる。
【０１０５】
また、請求項３の発明によれば、管理装置は、複数の記録媒体処理装置のうちの処理対象の記録媒体を受け入れた第１の記録媒体処理装置からの第１の問合せを受信したときは、前記処理対象の記録媒体の固有識別情報に対応して状態情報が記憶手段に記憶されているか否かを判断する判断手段と、該判断手段が前記状態情報が記憶されていると判断した場合は、前記記憶手段に記憶されている対応する装置識別情報に基づく第２の記録媒体処理装置に対して、記録媒体の受け入れ状態に関する情報を問合せる問合せ手段と、前記第２の記録媒体処理装置から前記所定の記録媒体が挿入されている旨の通知を受信した場合は、前記第１の記録媒体処理装置に対して、前記処理対象の記録媒体に対する所定の処理を許可しない旨を通知する通知手段とを備えるようにしたため、第２の記録媒体処理装置に正当な記録媒体が挿入中に、第１の記録媒体処理装置にコピーカードが挿入された場合には、第１の記録媒体処理装置からは、所定の処理が実施されることなくコピーカードが排出されることとなるので、確実にコピーカードの不正使用を防止することができる。
【０１０６】
また、請求項４の発明によれば、請求項３の発明において、通知手段は、問合せ手段が第２の記録媒体処理装置から所定の記録媒体が挿入されていない旨の通知を受信した場合は、第１の記録媒体処理装置に対して、前記処理対象の記録媒体に対する所定の処理を許可する旨を通知するようにしたため、第２の記録媒体処理装置から既に正当な記録媒体が排出され、かつ通信エラー等により、記録手段に、正当な記録媒体の固有識別情報に対応して状態情報が記憶されなかった状態で、第１の記録媒体処理装置に上記正当な記録媒体が挿入された場合には、記憶手段の記録内容に加えて、リアルタイムでの第２の記録媒体処理装置の記録媒体に関する状況を示す状況情報を考慮して、第１の記録媒体処理装置に対して、挿入された記録媒体に対する所定の処理を許可する旨が通知されることとなり、当該正当な記録媒体を使用することができる。よって、コピーカードの不正使用防止精度を向上させることのできる記録媒体管理システムを提供することが可能となる。
【０１０７】
また、請求項５の発明によれば、通知手段は、問合せ手段が第２の記録媒体処理装置からの問合せに対する結果を受信できなかった場合は、第１の記録媒体処理装置に対して、処理対象の記録媒体に対する所定の処理を許可する旨を通知するようにしたため、記憶手段の記録内容に加えて、リアルタイムでの第２の記録媒体処理装置からの問合せに対する結果の応答が無い場合には、処理対象の記録媒体は正当なものであるとして、第１の記録媒体処理装置に対して、挿入された記録媒体に対する所定の処理を許可する旨が通知されることとなり、処理対象の記録媒体を正当な記録媒体として使用することができる。
【０１０８】
さらに、請求項６の発明によれば、通知手段が第１の記録媒体処理装置に対して、処理対象の記録媒体に対する所定の処理を許可する旨を通知したときは、前記処理対象の記録媒体の固有識別情報と、状態情報と、前記第１の記録媒体処理装置を特定するための装置識別情報とが対応付けられた内容になるように、記憶手段の記憶内容を更新する更新手段を更に備えたため、記録手段の記憶内容を、複数の記録媒体処理装置における記録媒体の受け入れ状態の実態に即した最新の内容に更新することができる。よって、コピーカードの不正使用防止精度を向上させることが可能となる。
【図面の簡単な説明】
【図１】本発明の実施の形態である記録媒体管理システムを遊技システムに適用した場合の概要を示すブロック図である。
【図２】ターミナルコントローラの内部構成を示すブロック図である。
【図３】会員管理テーブルの記憶内容の一例を示す図である。
【図４】カード処理ユニットおよび遊技機の外観を示す正面図である。
【図５】カード処理ユニットの内部構成を示すブロック図である。
【図６】記録媒体処理装置による処理動作を示すフローチャートである。
【図７】ターミナルコントローラによる処理動作を示すフローチャートである。
【図８】カード処理ユニットとターミナルコントローラとの間で実施されるデータ通信処理手順を示すシーケンス図である。
【図９】カード処理ユニットとターミナルコントローラとの間で実施されるデータ通信処理手順を示すシーケンス図である。
【図１０】会員管理テーブルの記憶内容（更新後の内容）の一例を示す図である。
【図１１】カード処理ユニットおよびカード精算機とターミナルコントローラとの間で実施されるデータ通信処理手順を示すシーケンス図である。
【図１２】従来のカード管理システムにおける不正コピーカード対策処理を説明するための図である。
【符号の説明】
１０    遊技機
１１    遊技領域
１２    上皿
１３    度数表示部
１４    貸出スイッチ
１５    返却スイッチ
３０    カード処理ユニット
３１ａ  カードランプ
３１ｂ  現金ランプ
３２    紙幣投入口
３３    硬貨投入口
３４    返却レバー
３５    種別ランプ
３６    金額表示部
３７ａ  金額設定スイッチ
３８    硬貨返却口
３９    カード挿入口
１００    島コントローラ
１０１    カード発行機
１０２    カード精算機
１０３    カード更新機
２００    ターミナルコントローラ
２０１    ＣＰＵ
２０２    メモリ
２０３    記憶装置
２０４    入力装置
２０５    表示装置
２０６    通信インタフェース部
２１０    会員管理テーブル
３００    貸出制御部
３０１    ＢＶユニット部
３０２    紙幣搬送路
３０３    コインセレクタ部
３０４    硬貨搬送路
３０５    カード処理部
３０６    メモリ
ＤＴ    度数管理テーブル
ＭＣ    会員カード
ＰＣ    プリペイドカード
【図１】
0003898966.tif 000002
【図２】
0003898966.tif 000003
【図３】
0003898966.tif 000004
【図４】
0003898966.tif 000005
【図５】
0003898966.tif 000006
【図６】
0003898966.tif 000007
【図７】
0003898966.tif 000008
【図８】
0003898966.tif 000009
【図９】
0003898966.tif 000010
【図１０】
0003898966.tif 000011
【図１１】
0003898966.tif 000012
【図１２】
0003898966.tif 000013